(57)【要約】【課題】不完全な形状の反射波からも埋設物を検出することが可能な埋設物検出装置を提供すること。【解決手段】埋設物検出装置１では、受信部６１は、移動に伴ったタイミング毎に反射波に関するデータを受信する。ピーク検出部３６は、タイミングにおける対象物の深さ方向の信号強度に基づいて、各々のタイミングにおける対象物の深さ方向の信号強度のピークを検出する。グルーピング部５１は、各々の前記タイミングで検出された信号強度のピークにおける深さ位置のうち、移動方向において所定間隔以内で連続している複数の前記信号強度のピークにおける深さ位置を１つのグループとする。補間部５３は、グルーピング部５１によって検出された複数のグループに対して、所定の補間条件を満たす場合にはグループの間を補間して１つのグループとする。埋設物検出部５８は、グループに基づいて埋設物を検出する。【選択図】図５
2020165722.tif 000002
【特許請求の範囲】
【請求項１】
対象物の表面を移動しながら前記対象物に向かって放射した電磁波の反射波に関するデータを用いて前記対象物内の埋設物を検出するための埋設物検出装置であって、
移動に伴ったタイミング毎に反射波に関するデータを受信する受信部と、
前記タイミングにおける前記対象物の深さ方向の信号強度に基づいて、各々の前記タイミングにおける前記対象物の深さ方向の前記信号強度のピークを検出する信号強度ピーク検出部と、
各々の前記タイミングで検出された前記信号強度のピークにおける深さ位置のうち、移動方向において所定間隔以内で連続している複数の前記信号強度のピークにおける深さ位置を１つのグループとするグルーピング部と、
前記グルーピング部によって検出された複数の前記グループに対して、所定の補間条件を満たす場合には前記グループの間を補間して１つの前記グループとする補間部と、
前記グループに基づいて前記埋設物を検出する埋設物検出部と、を備えた、
埋設物検出装置。
【請求項２】
前記所定の補間条件は、所定の前記グループの前記移動方向における第１端から所定領域内に、他の前記グループの前記移動方向と反対側の第２端が存在することであり、
前記補間部は、前記所定の補間条件を満たす場合に、前記所定のグループと前記他のグループを１つの前記グループとする、
請求項１に記載の埋設物検出装置。
【請求項３】
前記補間部は、
前記所定のグループの前記第１端から所定範囲における傾きに基づいて、傾きの上限と傾き下限を算出する範囲算出部と、
前記移動方向において前記第１端から所定範囲であって前記傾きの上限と前記傾きの下限の範囲内である前記所定領域内に前記第２端が存在するか否かを判定する補間判定部と、を有する、
請求項２に記載の埋設物検出装置。
【請求項４】
前記埋設物検出部は、
前記グループの前記深さ位置のピークを検出する深さ位置ピーク検出部と、
検出された前記深さ位置のピークから前記埋設物の存在を判定する判定部と、を有する、
請求項１に記載の埋設物検出装置。
【請求項５】
前記深さ位置ピーク検出部は、前記移動方向と前記深さ方向における平面において、前記グループが所定条件を満たしているか否かを判定し、
前記判定部は、前記グループが前記所定条件を満たしていると判定した場合に、前記埋設物の存在を判定する、
請求項４に記載の埋設物検出装置。
【請求項６】
前記所定条件は、
前記移動方向と前記深さ方向における平面において、前記グループを微分した際に微分値がプラスの値からゼロを通ってマイナスの値になる第１条件と、
前記グループが前記第１条件におけるゼロの深さ位置から前記移動方向およびその反対方向のそれぞれに所定範囲以上存在する第２条件と、
前記ゼロの深さ位置から前記移動方向およびその反対方向の所定範囲における前記微分値の面積が所定閾値以上である第３条件であり、
前記深さ位置ピーク検出部は、前記グループが前記第１条件と前記第２条件と前記第３条件を満たすか否かを判定し、前記第１条件と前記第２条件と前記第３条件を満たしている場合に、前記ゼロの深さ位置を前記グループの前記深さ位置のピークとして検出する、
請求項５に記載の埋設物検出装置。
【請求項７】
前記判定部は、前記深さ位置のピークが、前記移動方向における所定範囲内において前記深さ方向に複数存在する場合、浅いほうの前記深さ位置のピークを前記埋設物の位置と判定する、
請求項６に記載の埋設物検出装置。
【請求項８】
前記判定部は、前記所定範囲内において、前記深さ位置のピークが１つのみ存在する場合には、検出された前記深さ位置のピークを埋設物の位置と判定しない、
請求項７に記載の埋設物検出装置。
【請求項９】
前記深さ方向またはその反対の表面方向において、所定の前記深さ位置の信号強度の、その前の前記深さ位置の信号強度からの変化の差分を検出する１次微分処理部を更に備えた、
請求項１〜８のいずれか１項に記載の埋設物検出装置。
【請求項１０】
前記信号強度ピーク検出部は、
前記差分が減少から増加に変化する深さ位置および前記差分が増加から減少に変化する深さ位置の少なくとも一方を前記信号強度のピークとして検出する、
請求項９に記載の埋設物検出装置。
【請求項１１】
対象物の表面を移動しながら前記対象物に向かって放射した電磁波の反射波に関するデータを用いて前記対象物内の埋設物を検出する埋設物検出方法であって、
移動に伴ったタイミング毎に反射波に関するデータを受信する受信ステップと、
前記タイミングにおける前記対象物の深さ方向の信号強度に基づいて、各々の前記タイミングにおける前記対象物の深さ方向の前記信号強度のピークを検出する信号強度ピーク検出ステップと、
各々の前記タイミングで検出された前記信号強度のピークにおける深さ位置のうち、移動方向において所定間隔以内で連続している複数の前記信号強度のピークにおける深さ位置を１つのグループとするグルーピングステップと、
前記グルーピングステップによって検出された複数の前記グループに対して、所定の補間条件を満たす場合には前記グループの間を補間して１つの前記グループとする補間ステップと、
前記グループに基づいて前記埋設物を検出する埋設物検出ステップと、を備えた、
埋設物検出方法。
【発明の詳細な説明】
【技術分野】
【０００１】
本発明は、埋設物検出装置および埋設物検出方法に関する。
【背景技術】
【０００２】
コンクリート内の埋設物を探索する装置として、コンクリートの表面を移動させながら、コンクリートに向かって放射した電磁波の反射波から埋設物を検出する埋設物検出装置が用いられている（例えば、特許文献１参照）。
埋設物検出装置では、図３７（ａ）に示すように、送信アンテナから放射される電磁波は、深さ方向に対して広がりを持っているため、位置Ｐ１００１で鉄筋１０００からの反射波（ＲＦ１）を受信する。そのため、位置Ｐ１００１から鉄筋１０００までの距離がＤ１と表示されることになる。そして、位置Ｐ１００２では、鉄筋１０００までの距離がＤ２と最も近く表示され、更に位置Ｐ１００３では、位置Ｐ１００３から鉄筋１０００までの距離がＤ２よりも遠いＤ３と表示されることになる。
【０００３】
このため、鉄筋１０００による反射波の波形は、山形波形１００４となる。
埋設物検出装置は、埋設物の反射波が完全な山形波形である場合に、その頂点を埋設物として検出していた。
【先行技術文献】
【特許文献】
【０００４】
【特許文献１】特許第５７８９０８８号公報
【発明の概要】
【発明が解決しようとする課題】
【０００５】
しかしながら、図３７（ｂ）に示すように、浅い埋設物１００５から受信する反射波の山形波形１００６の端部が、より深い埋設物１００８から受信する反射波の山形波形１００７の頂点付近に重なる場合には、深い埋設物１００８からの反射波の山形波形が不完全となり、埋設物１００８を検出することが出来ないことがあった。
本発明は、不完全な形状の反射波からも埋設物を検出することが可能な埋設物検出装置および埋設物検出方法を提供することを目的とする。
【課題を解決するための手段】
【０００６】
第１の発明にかかる埋設物検出装置は、対象物の表面を移動しながら対象物に向かって放射した電磁波の反射波に関するデータを用いて対象物内の埋設物を検出するためのデータ処理装置であって、受信部と、信号強度ピーク検出部と、グルーピング部と、補間部と、埋設物検出部と、を備える。受信部は、移動に伴ったタイミング毎に反射波に関するデータを受信する。信号強度ピーク検出部は、タイミングにおける対象物の深さ方向の信号強度に基づいて、各々のタイミングにおける対象物の深さ方向の信号強度のピークを検出する。グルーピング部は、各々のタイミングで検出された信号強度のピークにおける深さ位置のうち、移動方向において所定間隔以内で連続している複数の信号強度のピークにおける深さ位置を１つのグループとする。補間部は、グルーピング部によって検出された複数のグループに対して、所定の補間条件を満たす場合にはグループの間を補間して１つのグループとする。埋設物検出部は、グループに基づいて埋設物を検出する。
【０００７】
これにより、途中で途切れているような不完全なグループを１つのグループに補間することができるため、不完全な形状の反射波から埋設物を検出することができる。すなわち、浅い埋設物から受信する反射波に基づくグループの端部が、より深い埋設物から受信する反射波に基づくグループの頂点付近に重なり深い埋設物に関するグループが途中で途切れる場合であっても途切れた部分を補間することができる。このため、深い埋設物の存在を検出することができる。
【０００８】
第２の発明にかかる埋設物検出装置は、第１の発明にかかる埋設物検出装置であって、所定の補間条件は、所定のグループの移動方向における第１端から所定領域内に、他のグループの移動方向と反対側の第２端が存在することである。補間部は、所定の補間条件を満たす場合に、所定のグループと他のグループを１つのグループとする。
これにより、所定のグループの端と、他のグループの端が所定範囲内に存在する場合に、端同士を繋ぎ、１つのグループとして埋設物の判定を行うことができる。
【０００９】
第３の発明にかかる埋設物検出装置は、第２の発明にかかる埋設物検出装置であって、補間部は、範囲算出部と、補間判定部と、を有する。範囲算出部は、所定のグループの第１端から所定範囲における傾きに基づいて、傾きの上限と傾きの下限を算出する。補間判定部は、移動方向において第１端から所定範囲であって傾きの上限と傾きの下限の範囲内である所定領域内に第２端が存在するか否かを判定する。
これにより、所定のグループの端が途切れているが移動方向に続いていると判断できる範囲に他のグループの端が存在する場合に、途切れていると判断して途切れている部分を補間することができる。このため、１つの埋設物の反射波に基づくグループとする補間により埋設物検知を精度良く行うことができる。
【００１０】
第４の発明にかかる埋設物検出装置は、第１の発明にかかる埋設物検出装置であって、埋設物検出部は、深さ位置ピーク検出部と、判定部と、を有する。深さ位置ピーク検出部は、グループの深さ位置のピークを検出する。判定部は、検出された深さ位置のピークから埋設物の存在を判定する。
これによって、深さ位置のピークに基づいて埋設物の存在を判定することができる。
【００１１】
第５の発明にかかる埋設物検出装置は、第１の発明にかかる埋設物検出装置であって、深さ位置ピーク検出部は、移動方向と深さ方向における平面において、グループが所定条件を満たしているか否かを判定する。判定部は、グループが所定条件を満たしていると判定した場合に、埋設物の存在を判定する。
これによって、所定条件として例えば山形形状を満たしている場合に、埋設物が存在すると判定することができる。
【００１２】
第６の発明にかかる埋設物検出装置は、第５の発明にかかる埋設物検出装置であって、所定条件は、移動方向と深さ方向における平面において、グループを微分した際に微分値がプラスの値からゼロを通ってマイナスの値になる第１条件と、グループが第１条件におけるゼロの深さ位置から移動方向およびその反対方向のそれぞれに所定範囲以上存在する第２条件と、ゼロの深さ位置から移動方向およびその反対方向の所定範囲における微分値の面積が所定閾値以上である第３条件である。深さ位置ピーク検出部は、グループが第１条件と第２条件と第３条件を満たすか否かを判定し、第１条件と第２条件と第３条件を満たしている場合に、ゼロの深さ位置をグループの深さ位置のピークとして検出する。
このように３つの条件を満たす場合に、例えば山形状の波形であると判定でき、山形状の波形のピーク位置を検出することにより、埋設物の位置を検出することができる。
【００１３】
第７の発明にかかる埋設物検出装置は、第６の発明にかかる埋設物検出装置であって、判定部は、深さ位置のピークが、移動方向における所定範囲内において深さ方向に複数存在する場合、浅いほうの深さ位置のピークを埋設物の位置と判定する。
これにより、浅い方のピークの位置を埋設物の位置とすることができる。
【００１４】
第８の発明にかかる埋設物検出装置は、第７の発明にかかる埋設物検出装置であって、判定部は、所定範囲内において、深さ位置のピークが１つのみ存在する場合には、検出された深さ位置のピークを埋設物の位置と判定しない。
これにより、ノイズなどによる誤検出を低減することができる。
【００１５】
第９の発明にかかる埋設物検出装置は、第１〜８のいずれかの発明にかかる埋設物検出装置であって、１次微分処理部を更に備える。１次微分処理部は、深さ方向またはその反対の表面方向において、所定の深さ位置の信号強度の、その前の深さ位置の信号強度からの変化の差分を検出する。
これにより、埋設物の影響による信号強度の変化を抽出することができる。
【００１６】
第１０の発明にかかる埋設物検出装置は、第９の発明にかかる埋設物検出装置であって、信号強度ピーク検出部は、差分が減少から増加に変化する深さ位置および差分が増加から減少に変化する深さ位置の少なくとも一方を信号強度のピークとして検出する。
このように、信号強度の増減のデータを用いて信号強度のピークを検出することができる。
【００１７】
第１１の発明にかかる埋設物検出方法は、受信ステップと、信号強度ピーク検出ステップと、グルーピングステップと、補間ステップと、埋設物検出ステップと、を備える。受信ステップは、移動に伴ったタイミング毎に反射波に関するデータを受信する。信号強度ピーク検出ステップは、タイミングにおける対象物の深さ方向の信号強度に基づいて、各々のタイミングにおける対象物の深さ方向の信号強度のピークを検出する。グルーピングステップは、各々のタイミングで検出された信号強度のピークにおける深さ位置のうち、移動方向において所定間隔以内で連続している複数の信号強度のピークにおける深さ位置を１つのグループとする。補間ステップは、グルーピング部によって検出された複数のグループに対して、所定の補間条件を満たす場合にはグループの間を補間して１つのグループとする。埋設物判定ステップは、グループに基づいて埋設物を検出する。
【００１８】
これにより、途中で途切れているような不完全なグループを１つのグループに補間することができるため、不完全な形状の反射波から埋設物を検出することができる。すなわち、浅い埋設物から受信する反射波に基づくグループの端部が、より深い埋設物から受信する反射波に基づくグループの頂点付近に重なり深い埋設物に関するグループが途中で途切れる場合であっても途切れた部分を補間することができる。このため、深い埋設物の存在を検出することができる。
【発明の効果】
【００１９】
本発明によれば、不完全な形状の反射波からも埋設物を検出することが可能な埋設物検出装置および埋設物検出方法を提供することができる。
【図面の簡単な説明】
【００２０】
【図１】本発明にかかる実施の形態における埋設物検出装置の構成を示す斜視図。
【図２】図１の埋設物検出装置の構成を示すブロック図。
【図３】図２のパルス制御モジュールの構成を示すブロック図。
【図４】図３のＭＰＵが取得する反射波のデータを示す図。
【図５】図２のメイン制御モジュールの構成を示すブロック図。
【図６】（ａ）差分処理を行う前の画像データを示す図、（ｂ）差分処理後の画像データを示す図。
【図７】（ａ）移動平均処理を行った後の画像データを示す図、（ｂ）図１０（ａ）のラインＬ１のＲＦデータの信号強度を示す図。
【図８】図７（ｂ）のＰ１０〜Ｐ３の間の拡大図。
【図９】図５の一次微分処理部およびチャタリング除去部による処理を説明するための図。
【図１０】画像データを示す図。
【図１１】（ａ）〜（ｄ）グルーピング部による処理を説明するための図。
【図１２】（ａ）〜（ｄ）グループの山形波形の一部が欠ける理由を説明するための図。
【図１３】山形波形が途中で途切れて２つのグループが検出された画像データを示す図。
【図１４】図１の補間部により補間処理の概要を示す図。
【図１５】（ａ）〜（ｄ）図５の範囲算出部による所定範囲を決定する処理を説明するための図。
【図１６】（ａ）〜（ｃ）所定範囲の上限微分値と下限微分値を算出する方法の具体例を示す図。
【図１７】図１６（ａ）〜（ｃ）で設定した所定範囲における補間処理を説明するための図。
【図１８】（ａ）図５のグルーピング部によってグループ化された複数のピークの深さ位置を示す図、（ｂ）図１８（ａ）の波形を微分した図。
【図１９】（ａ）図１８（ａ）に第２条件を付加した図。（ｂ）図１８（ｂ）に第２条件を付加した図。
【図２０】（ａ）微分したグラフの斜線部が所定閾値以上の例を示す図、（ｂ）微分したグラフの斜線部が所定閾値未満の例を示す図。
【図２１】（ａ）〜（ｃ）頂点グルーピングの例を示す図。
【図２２】（ａ）山形波形の途中が欠けているデータの例を示す図、（ｂ）図２２（ａ）のデータを補間処理したデータの例を示す図。
【図２３】図１の埋設物検出装置のインパルス制御処理を示すフロー図。
【図２４】図１の埋設物検出装置のメイン制御モジュールの処理を示すフロー図。
【図２５】図２４の前処理を示すフロー図。
【図２６】図２５の移動平均処理を示すフロー図。
【図２７】図２５の差分処理を示すフロー図。
【図２８】図２５の差分結果の一次微分処理を示すフロー図。
【図２９】図２５のチャタリング除去処理を示すフロー図。
【図３０】図２５のピーク検出処理を示すフロー図。
【図３１】図２４の埋設物判定処理を示すフロー図。
【図３２】図３１のグルーピング処理を示すフロー図。
【図３３】図３１の埋設物判定処理を示すフロー図。
【図３４】図３１の山形波形補間処理を示すフロー図。
【図３５】図３１の山形波形頂点検出処理を示すフロー図。
【図３６】図３１の埋設物判定処理を示すフロー図。
【図３７】（ａ）、（ｂ）従来の課題を説明するための図。
【発明を実施するための形態】
【００２１】
以下に、本発明の実施の形態に係る埋設物検出装置について図面に基づいて説明する。
＜構成＞
（埋設物検出装置１の概要）
図１は、本発明に係る実施の形態における埋設物検出装置１をコンクリート１００上に配置した状態を示す斜視図である。図２は、本実施の形態における埋設物検出装置１の概略構成を示すブロック図である。
【００２２】
本実施の形態の埋設物検出装置１は、コンクリート１００等の対象物の表面１００ａを移動しながら電磁波をコンクリート１００に放射し、その反射波を受信して解析することによって、コンクリート１００内の埋設物１０１ａ、１０１ｂ、１０１ｃ、１０１ｄの位置を検出する。
図１では、埋設物１０１ａ、１０１ｂ、１０１ｃ、１０１ｄは、鉄筋であり、例えば、表面１００ａから順に２０ｃｍ、１５ｃｍ、１０ｃｍ、５ｃｍの深さ位置に埋設されている。深さ方向が矢印Ｂで示されており、表面方向が矢印Ｃで示されている。
【００２３】
埋設物検出装置１は、本体部２と、把手３と、車輪４と、インパルス制御モジュール５と、メイン制御モジュール６と、エンコーダ７と、表示部８と、を有する。
本体部２の上面に把手３が設けられている。本体部２の下部に４つの車輪が回転自在に取り付けられている。作業者は、コンクリート１００内部の埋設物を検出する際には、把手３を把持して車輪４を回転させながら埋設物検出装置１をコンクリート１００の表面１００ａ上で移動させる。
【００２４】
インパルス制御モジュール５は、コンクリート１００に向けて電磁波を放射するタイミング、および放射した電磁波の反射波を受信するタイミング等の制御を行う。
エンコーダ７は、車輪４に設けられており、車輪４の回転に基づいてインパルス制御モジュール５に反射波の受信タイミングを制御するための信号を送信する。
メイン制御モジュール６は、インパルス制御モジュール５で受信された反射波に関するデータを受け取り、埋設物の検出を行う。
表示部８は、本体部２の上面に設けられており、埋設物１０１ａ、１０１ｂ、１０１ｃ、１０１ｄの位置を示す画像を表示する。
【００２５】
（インパルス制御モジュール５）
図３は、インパルス制御モジュール５の構成を示すブロック図である。
インパルス制御モジュール５は、制御部１０と、送信アンテナ１１と、受信アンテナ１２（受信部の一例）と、パルス発生部１３と、ディレイ部１４と、ゲート部１５と、を有する。
【００２６】
制御部１０は、ＭＰＵ（Micro Processing Unit）等によって構成されており、エンコーダ入力をトリガとして、パルス発生部１３にパルスの発生を指令する。パルス発生部１３は、ＭＰＵからの指令に基づいてパルスを発生し、送信アンテナ１１に送る。送信アンテナ１１は、パルスの周期に基づいて電磁波を一定周期で放射する。エンコーダ７の入力のタイミングが、タイミングの一例に対応する。
【００２７】
受信アンテナ１２は、放射された電磁波の反射波を受信する。ゲート部１５は、ディレイ部１４からのパルスを受信すると、受信アンテナ１２で受信した反射波を取り込み、制御部１０へと送信する。ディレイ部１４は、所定間隔でゲート部１５にパルスを送信し、反射波を取り込ませる。この所定間隔は、例えば２．５ｍｍピッチとなっている。
これにより、インパルス制御モジュール５は、エンコーダ７からの入力をトリガとして、送信アンテナ１１から電磁波を複数回出力する。そして、インパルス制御モジュール５は、ディレイ部１４によるディレイＩＣを用いて受信タイミングを遅らせることで受信アンテナ１２との距離ごとの受信データを取得することができる。
【００２８】
図４は、ＭＰＵが取得する反射波のデータを示す図である。縦軸は、軸Ｏを中心として、−４０９６〜＋４０９６階調で受信信号の強度を示し、矢印方向がマイナス側を示す。横軸は、受信アンテナ１２との距離を示し、矢印方向（深さ方向Ｂに対応）が受信アンテナ１２からの距離が長いことを示す。また、距離が長いとは、深さが深いことに相当する。
【００２９】
なお、詳しくは後述するが、図４に示す波形Ｗ１には、コンクリート１００内に照射されずにアンテナで反射した反射波も含まれる（ｐ１等）ため、基準値の信号強度との差分を算出することにより、コンクリート１００内からの反射波のデータの変化が抽出される。
また、図４に示すデータは、エンコーダ７の入力があった後からエンコーダ７の入力が次にあるときまでのデータである。受信タイミングを除々に遅らせることによって、受信アンテナ１２からの距離が長い位置からの反射波を受信するが、エンコーダ７からの入力があると、受信タイミングの遅延が元に戻され、再び受信タイミングを除々に遅らせる。すなわち、移動方向Ａ１、Ａ２における所定の計測位置（エンコーダ７からの入力があった位置）における深さ方向Ｂの反射波を受信することになる。このような図４に示すエンコーダ７の入力があった後から次のエンコーダの入力があるまでの反射波のデータを１ライン分のデータという。制御部１０は、１ライン分のデータが貯まるごとに、その１ライン分のＲＦ（Radio Frequency）データをメイン制御モジュール６へ送信する。
【００３０】
なお、埋設物検出装置１は動かされているため、計測位置は厳密に同じ位置ではなく、深さ方向Ｂもコンクリート１００の表面１００ａに対して厳密に垂直な方向ではない。
【００３１】
（メイン制御モジュール６）
図５は、メイン制御モジュール６の構成を示すブロック図である。メイン制御モジュール６は、受信部２１と、ＲＦデータ管理部２２と、前処理部２３と、埋設物判定部２４と、判定結果登録部２５、表示制御部２６と、を有する。
受信部２１は、インパルス制御モジュール５から送信されるごとに、１ライン分のＲＦデータを受信する。
ＲＦデータ管理部２２は、受信部２１が受信した１ライン分のＲＦデータを記憶する。
前処理部２３は、１ライン分のデータ毎に、信号強度のピークを検出する。
埋設物判定部２４は、前処理部２３において検出された１ライン分のＲＦデータごとの信号強度のピークを用いて、埋設物１０１の有無を判定して、その位置を特定する。
【００３２】
判定結果登録部２５は、埋設物判定部２４によって判定された埋設物の位置をＲＦデータ管理部２２に登録する。
表示制御部２６は、移動方向Ａ１と深さ方向Ｂの平面において信号強度を色で階調処理した画像を表示部８に表示させる制御を行う。また、表示制御部２６は、埋設物１０１の位置を表示部８に表示させる制御を行う。
【００３３】
（前処理部２３）
図５に示すように、前処理部２３は、移動平均処理部３３と、差分処理部３２と、一次微分処理部３４（差分処理部の一例）と、チャタリング除去部３５と、ピーク検出部３６（信号強度ピーク検出部の一例）と、を有する。
（移動平均処理部３３）
移動平均処理部３３は、ＲＦデータについて、１ラインごとに移動平均処理を行う。本実施の形態では、例えば８点平均で移動平均処理を行うことができる。
【００３４】
（差分処理部３２）
差分処理部３２は、移動平均処理を行ったＲＦデータから、基準値の信号強度との差分を算出することによって、変化した箇所のＲＦデータを抽出する。図６（ａ）は、差分処理を行う前の画像データを示す図であり、図６（ｂ）は、差分処理を行った後の画像データを示す図である。
【００３５】
ここで、基準値の信号強度は予め記憶されている。信号強度から基準値の信号強度を引く。この演算を、全てのラインの全ての深さ位置に対して行うことにより、図６（ｂ）に示すようにＲＦデータ信号の変化を明確にすることができる。
図７（ａ）は、差分処理を行った画像データの部分拡大図であり、図７（ｂ）は、図７（ａ）のラインＬ１のＲＦデータの信号強度を示す図である。図７（ｂ）の横軸は深さ位置を示し、矢印方向に沿って深くなっている。図７（ｂ）の縦軸は信号強度を示し、矢印方向に沿って信号強度が強くなっている。
【００３６】
なお、本実施の形態では、信号強度が強い方が白く階調され、信号強度が弱いほうが黒く階調される。また、本実施の形態では、下向きのピーク、すなわち黒色が最も濃くなっている位置と、上向きのピーク、すなわち白色が最も薄くなっている位置が検出される。例えば、下向きのピークの位置は、コンクリート中の鉄筋等の位置を示し、上向きのピークの位置は、コンクリート中の空洞や樹脂の位置を示す。
【００３７】
下向きのピークと上向きのピークを検出する原理は同じであるため、以下の説明では、下向きのピーク（黒色が最も濃くなっている位置）を検出することについて具体的に説明する。
図７（ａ）のＬ１上の黒色部分（下向きのピーク）をＰ１〜Ｐ５で示す。このＰ１〜Ｐ５が、図７（ｂ）にも示されている。また、図７（ｂ）には、Ｐ２とＰ３の間の上向きのピークの１つがＰ１０として示されている。
【００３８】
（一次微分処理部３４）
一次微分処理部３４は、下向きのピークを検出するために、差分処理が行われたデータに対して一次微分処理を行う。一次微分処理部３４は、所定の深さ位置における信号強度から、次の深さ位置における信号強度への差分を算出する。
図８は、図７（ｂ）のＰ１０〜Ｐ３の間の拡大図である。図９は、図８のグラフの信号強度および一次微分処理の結果の表１５０を示す図である。後述するが、図９には、チャタリング処理の結果と、グラフ１５１も示されている。
【００３９】
図９に示す表１５０の最も左の欄には、シーケンスナンバーが示されている。シーケンスナンバーが大きくなるに従って位置が深くなっている。左から２つ目の欄には、各シーケンスナンバーでの信号強度が示されている。左から３つ目の欄には、一次微分処理部３４によって算出された差分が示されている。
シーケンスナンバーｎの差分は、シーケンスナンバーｎ＋１の信号強度からシーケンスナンバーｎの信号強度を引いた値となっている。例えば、シーケンスナンバーが７番の差分は、８番目の信号強度（４１６）から７番目の信号強度（４３２）を引いた値（−１５）となっている。
【００４０】
このように、一次微分処理部３４は、１ラインの全てのデータに対して一次微分処理を行う。
【００４１】
（チャタリング除去部３５）
チャタリング除去部３５は、一次微分処理が行われた結果に対してチャタリング除去処理を行う。
図８に示すデータでは、領域Ｒ１において、全体として信号強度データが減少しているにもかかわらず、データＤ２が一つ前（浅い）のデータＤ１よりも大きくなっており、ノイズによるチャタリングが発生していることがわかる。また、領域Ｒ２において、データＤ３よりもデータＤ４、Ｄ５が小さくなっており、ノイズによるチャタリングが発生していることがわかる。このようなチャタリングは、コンクリート内に含まれる骨材の材質・粒度により反射波が変化することによって発生する。チャタリング除去部３５は、このようなチャタリングの除去を行う。
【００４２】
チャタリング除去部３５は、各シーケンスナンバーの差分が正の値であるか負の値であるかを判定する。左から４つ目の欄には、正の変化（増加）であるか負の変化（減少）であるかが示されており、正（＋）の変化の場合には１が示され、負（−）の変化の場合には−１が示されている。
すなわち、チャタリング除去部３５は、所定の深さ位置から、より深い側の次の深さ位置への信号強度の変化が増加であるか減少であるかを判定する。
【００４３】
ここで、図９には、表１５０のハッチングで囲まれている部分のグラフ１５１が示されている。変化（＋／−）を示す◆のデータでは、周囲が負（−）の変化にもかかわらずシーケンスナンバー１１だけが正（＋）の変化を示しており、シーケンスナンバー１１にノイズによるチャタリングが発生していることがわかる。このシーケンスナンバー１１の差分及び変化（＋／−）の値は、図８のデータＤ１〜Ｄ２の間に対応する。
【００４４】
また、周囲が負（−）の変化にもかかわらずシーケンスナンバー３４、３５が正（＋）の変化を示しており、シーケンスナンバー３４、３５にノイズによるチャタリングが発生していることがわかる。このシーケンスナンバー３４の差分および変化（＋／−）の値は、図９のデータＤ３〜Ｄ４の間の変化に対応し、シーケンスナンバー３５の差分および変化（＋／−）の値は、図８のデータＤ４〜Ｄ５の間の変化に対応する。
【００４５】
チャタリング除去部３５は、上記変化（＋／−）の値に対してチャタリングの除去処理を行う。表１の最も右側の欄には、チャタリング除去処理によるノイズ除去後の変化（＋／−）の値が示されている。チャタリング除去部３５は、連続する３つの値が全て０より大きい場合には正（＋）の変化と判断し、連続する３つの値が全て０より小さい場合には負（−）の変化と判断し、それ以外はすべて前回の値を保持する。
【００４６】
詳しく説明するとチャタリング除去部３５は、シーケンスナンバーｎ番目の変化（＋／−）とｎ＋１番目の変化（＋／−）とｎ＋２番目の変化（＋／−）が全て正の値（１）の場合には、ｎ番目の変化（＋／−）を正の値（１）と判断する。また、チャタリング除去部３５は、シーケンスナンバーｎ番目の変化（＋／−）とｎ＋１番目の変化（＋／−）とｎ＋２番目の変化（＋／−）が全て負の値（−１）の場合には、ｎ番目の変化（＋／−）を負の値（−１）と判断する。チャタリング除去部３５は、シーケンスナンバーｎ番目の変化（＋／−）とｎ＋１番目の変化（＋／−）とｎ＋２番目の変化（＋／−）の正負が一致しない場合、ｎ−１番目の変化（＋／−）を保持する。
【００４７】
例えば、６番目の変化（＋／−）の値は−１であり、７番目の変化（＋／−）の値は−１であり、８番目の変化（＋／−）の値は−１である。そのため、チャタリング除去部３５は、６番目のチャタリング処理後の変化（＋／−）の値を−１とする。
一方、チャタリングの発生した１１番目の変化（＋／−）の値は１であり、その次の１２番目の変化（＋／−）の値は−１であり、１３番目の変化（＋／−）の値は−１である。そのため、チャタリング除去部３５は、１０番目のチャタリング処理後の変化（＋／−）の値である−１を、１１番目の変化（＋／−）の値として保持する。
【００４８】
また、チャタリングの発生した３４番目の変化（＋／−）の値は１であり、その次の３５番目の変化（＋／−）の値は１であり、３６番目の変化（＋／−）の値は−１である。そのため、チャタリング除去部３５は、３３番目のチャタリング処理後の変化（＋／−）の値である−１を、３４番目の変化（＋／−）の値として保持する。
また、チャタリングの発生した３５番目の変化（＋／−）の値は１であり、その次の３６番目の変化（＋／−）の値は−１であり、３７番目の変化（＋／−）の値は１である。そのため、チャタリング除去部３５は、３４番目のチャタリング処理後の変化（＋／−）の値である−１を、３５番目の変化（＋／−）の値として保持する。
【００４９】
グラフ１５１には、チャタリング処理後の変化（＋／−）を示す■のデータでは、シーケンスナンバー１１の変化（＋／−）の値が負（−）の変化に変更され、シーケンスナンバー３４、３５変化（＋／−）の値が正（＋）の変化に変更されており、チャタリングが除去されていることがわかる。
以上のようなチャタリング除去部３５によるチャタリング除去処理が、ラインのＲＦデータ毎に行われる。
【００５０】
（ピーク検出部３６）
ピーク検出部３６は、一次微分処理を行った後の１ラインのＲＦデータのピークを抽出する。例えば、下向きのピーク（黒色のピーク）を抽出する場合、ピーク検出部３６は、一次微分処理を行った後の変化が、負の変化から正の変化に変わるポイントをピークとして抽出する。具体的には、図９の表１５０に示すように、シーケンスナンバー３６における変化が負（−）の変化となっており、シーケンスナンバー３７における変化が正（＋）の変化となっていることから、ピーク検出部３６は、シーケンスナンバー３７の深さ位置において信号強度が下向きのピークとなっていると判定し、シーケンスナンバー３７を下向きのピークとして抽出する。
【００５１】
なお、上向きのピーク（白色が最も薄くなっている位置）を検出する場合には、ピーク検出部３６は、一次微分処理を行った後の変化が、正の変化から負の変化に変わるポイントをピークとして抽出する。例えば、図９の表１５０では、シーケンスナンバー５の深さ位置において信号強度が上向きのピークとなっていると判定し、シーケンスナンバー５を上向きのピークとして抽出される。
【００５２】
さらに、ピーク検出部３６は、抽出されたピークのうち信号強度の絶対値が所定閾値以上の場合に、ピークとして検出する。ピーク検出部３６は、抽出されたピークの強度値が−Ｅ以上、＋Ｅ以下（図７参照）の範囲外の場合に、その抽出されたピークをピークとして検出する。一方、ピーク検出部３６は、抽出されたピークの強度値が閾値±Ｅの範囲内の場合に、その抽出されたピークをピークとして検出しない。図７の例では、抽出された下向きのピークＰ１〜Ｐ５のうちＰ２、Ｐ３、Ｐ４がピークとして検出されるが、Ｐ１とＰ５は−Ｅ以上＋Ｅ以下の範囲内に存在するため、ピークとして検出されない。
【００５３】
（埋設物判定部２４）
埋設物判定部２４は、図５に示すように、グルーピング部５１と、チャタリング除去部５２と、補間部５３と、埋設物検出部５８と、を有する。グルーピング部５１は、ピーク検出部３６によって検出された複数のピークのうち、移動方向に対して連続したピークをグループとして抽出する。チャタリング除去部５２は、グループのチャタリングを除去する。補間部５３は、チャタリング除去された後の複数のグループについて補間処理を行う。埋設物検出部５８は、グループが所定の山形波形である場合に、頂点を検出して頂点グループに入れ、複数の頂点から埋設物の位置を判定する。
【００５４】
（グルーピング部５１）
グルーピング部５１は、ピーク検出部３６によるピーク検出結果をグルーピングする。グルーピング部５１は、過去のラインから順番にピーク検出結果の有無を確認する。その結果を始点として進行方向に対して連続するピーク検出の有無をチェックする。図１０は、前処理部２３による前処理後の画像データを示す図である。図１０では、今回取得したラインＬ２が示されている。図１１（ａ）〜（ｄ）は、グルーピング部５１による処理を説明するための図である。
【００５５】
図１１（ａ）は、次のラインのピークが存在するか否かを確認する対象範囲を示す図である。
グルーピング部５１は、最初に見つけたピークの位置ＱＳを始点（図１０において●で示す）として、移動方向Ａ１の１ｐｉｘｅｌ以内且つ、上下の５ｐｉｘｅｌ以内に次のラインのピークが存在するか否かを確認する。なお、ピークの位置Ｑを見つけたラインを現在のラインとする。なお、ｐｉｘｅｌ数の具体的な数値は必ずしも１ｐｉｘｅｌ、５ｐｉｘｅｌに限定されるものではない。
【００５６】
図１１（ｂ）は、次のピークの位置Ｑ２が、現在のラインのピークの位置ＱＳの移動方向Ａ１の１ｐｉｘｅｌ以内且つ、上側５ｐｉｘｅｌ以内に存在する場合を示す。図１１（ｂ）では、ピークの位置が移動方向において上昇（浅い側に移動）していることになる。図１１（ｃ）は、次のラインのピークの位置Ｑ２が、現在のラインのピークの位置ＱＳの移動方向Ａ１の１ｐｉｘｅｌ以内且つ、下側５ｐｉｘｅｌ以内に存在する場合を示す。図１１（ｃ）では、ピークの位置が移動方向において下降（深い側に移動）していることになる。
【００５７】
続いて、ピークの位置Ｑ２が存在するラインを現在のラインとして、ピークの位置Ｑ２の移動方向Ａ１の１ｐｉｘｅｌ以内且つ、上下の５ｐｉｘｅｌ以内に次のラインのピークが存在するか否かを確認する。このように、ラインのＲＦデータを受信するごとに、現在のラインを移動方向にずらしてピークの連続性を確認する。
そして、図１１（ｄ）に示すように、次のラインのピークが、現在のラインのピークの位置の移動方向Ａ１の１ｐｉｘｅｌ以内且つ、上下の５ｐｉｘｅｌ以内に存在しない場合には、ピークの位置Ｑｅをグループの終点（図１０で■で示す）とする。
【００５８】
以上のように、グルーピング部５１は、ピークの位置のグルーピングを行う。図１０では、黒丸と黒四角の間が線で繋がれたグループ（例えばグループＧ１）が示されている。
なお、同様に上向きのピークの位置（白色が最も薄くなっている位置）のグルーピングも行われる。
【００５９】
（チャタリング除去部５２）
チャタリング除去部５２は、グルーピング部５１によってグルーピングされた全ての結果に対して移動平均処理を行う。
チャタリング除去部５２は、グルーピング部５１によってグルーピングされた連続するピークの位置について、グループごとに移動平均処理を行う。本実施の形態では、８点で移動平均処理を行うことができる。
【００６０】
（補間部５３）
補間部５３について説明を行う前に、補間部５３によるグループの補間を行う理由について説明する。
チャタリング除去後のグループの形状に基づいて、埋設物検出部５８によって埋設物の検出が行われる。詳しくは後述するが、埋設物検出部５８は、移動方向Ａ１と深さ方向Ｂにおける平面におけるグループの形状が山形波形の場合に埋設物の検出を行うことができる。
しかしながら、浅い埋設物から受信する反射波に基づくグループの端部が、より深い埋設物から受信する反射波に基づくグループの頂点付近に重なる場合には、深い埋設物からの反射波の山形波形が不完全となるが、本実施の形態の補間処理を行なうことによって埋設物を検出することが出来る。
【００６１】
図１２は、グループの山形波形の一部が欠ける理由を説明するための図である。
図１２（ｂ）は、埋設物検出装置１が図１２（ａ）に示す受信位置Ｐ１で埋設物２０１からの反射波を受信した際の反射波の画像データを示す。画像データでは、上述したように反射波の大きさをグレースケール（大きい場合を白、小さい場合を黒）で示している。埋設物２０１による反射波形は、例えば黒白の山形波形として表示される。上述したピーク検出部３６は、図１２（ｂ）に示すように、抽出した下向きのピーク（黒色のピークともいえる）および上向きのピーク（白色のピークともいえる）のうち、−Ｅ以上、＋Ｅ以下の閾値範囲外のものをピーク（図１２（ｂ）に示すピーク１〜７）として検出する。
【００６２】
図１２（ｄ）は、埋設物検出装置１が図１２（ｃ）に示す受信位置Ｐ２で埋設物２０１からの反射波を受信した際の反射波の画像データを示す。図１２（ｄ）に示すように、埋設物が複数存在する場合（埋設物２０１、２０２）、例えば埋設物２０１から強度が大きい白が反射される時間Ｔ１と埋設物２０２から強度が小さい黒が反射される時間Ｔ１が同じとき、白と黒が合算されることにより相殺されてグレーとなるため、閾値範囲内となり、ピークとして検出できない（図１２（ｄ）のＺ参照）。
【００６３】
このため、図１３に示すように山形波形が途中で途切れて２つのグループが検出される。図１３は、山形波形が途中で途切れて、グループＧ１１とグループＧ１２の２つのグループが検出された画像データを示す図である。途切れた部分が２０３で示されている。
補間部５３は、チャタリング除去後のグループに対して、所定の補間条件を満たす場合にグループ間を補間して１つのグループとする。
【００６４】
補間部５３は、範囲算出部５４と、補間判定部５５と、を有する。
範囲算出部５４は、チャタリング除去後のグループごとに、グループの移動方向Ａ１側の端点を基準として所定範囲Ｆを決定する。補間判定部５５は、所定範囲Ｆ内に、他のグループの端点が存在すれば、２つのグループを１つのグループとする。
図１４は、補間処理について説明するための図である。図１４では、範囲算出部５４は、グループＧ１１の移動方向Ａ１側の端点Ｑｅを基準として所定範囲Ｆを決定する。補間判定部５５は、図１４では所定範囲Ｆ内にグループＧ１２の移動方向Ａ１と反対方向Ａ２側の端点Ｑｓが存在するため、グループＧ１１とグループＧ１２を１つのグループとしてグルーピングすることになる。
【００６５】
図１５（ａ）〜（ｄ）は、範囲算出部５４による所定範囲Ｆを決定する処理を説明するための図である。
図１５（ａ）は、グルーピングの結果の山形波形を示す。範囲算出部５４は、図１５（ａ）に示すグループＧ１１について微分を行う。図１５（ｂ）は、グループＧ１１を微分したグループＧ１１´を示す図である。範囲算出部５４は、微分値から端点Ｑｅ以降の取りうる値の予測を行う。
【００６６】
具体的には、範囲算出部５４は、過去８点の微分値の最大値にマージを持たせた値を上限微分値（図１５（ｃ）の上限微分値ＵＬ参照）とし、過去８点の微分値の最小値にマージを持たせた値を下限微分値（図１５（ｃ）の下限微分値ＬＬ参照）とする。
図１６（ａ）〜（ｃ）は、上限微分値ＵＬ（傾きの上限の一例）と下限微分値ＬＬ（傾きの下限の一例）を算出する方法の具体例を示す図である。
【００６７】
図１６（ａ）は、元のグループの形状を示す図である。ｘは移動方向への距離を示し、画素の位置を示す。図１６（ａ）に示す表では、ｘ＝７０が、グループＧ１１の端点Ｑｅとする。図１６（ａ）に示すｆ（ｘ）は、深さ方向の位置を示す。範囲算出部５４は、図１６（ａ）に示すｆ´（ｘ）を算出する。ｆ´（ｘ）は、ｆ´（ｘ）＝（ｆ（ｘ＋ｈ）−ｆ（ｘ−ｈ））／２ｈ（中心微分）の式で求めることができる。
【００６８】
次に、範囲算出部５４は、過去８点の微分値の最大値を抽出する。図１６（ａ）に示す表では、０．０１となる。範囲算出部５４は、この０．０１にマージを加えて、上限微分値を１．０１と算出する。そして、ｆ（Ｎ）＝ｆ´（ｘ）（Ｎはｘ＋１〜ｘ＋１１）の式に基づいて、図１６（ｂ）の表に示すように、範囲算出部５４は、７１〜８１の上限微分値を１．０１とする。図１５（ｃ）には、上限微分値を繋いだ上限微分ＵＬが示されている。また、範囲算出部５４は、ｆ（Ｎ２）＝２×ｆ´（Ｎ２−１）＋ｆ（Ｎ）（Ｎ２はｘ＋２〜ｘ＋１１）の式を用いて上限微分値を積分することにより、各画素における上限値ｆ（ｘ）の値を算出する。図１５（ｄ）には、算出した上限値ｆ（ｘ）を繋いだ上限波形ＵＭが示されている。
【００６９】
一方、範囲算出部５４は、過去８点の微分値の最小値を抽出する。図１６（ａ）に示す表では、−１．２５となる。範囲算出部５４は、この−１．２５にマージを加えて、下限微分値を−２．２５と算出する。そして、ｆ（Ｎ）＝ｆ´（ｘ）（Ｎはｘ＋１〜ｘ＋１１）の式に基づいて、図１６（ｃ）の表に示すように、範囲算出部５４は、７１〜８１の下限微分値を−２．２５とする。図１５（ｃ）には、下限微分値を繋いだ下限微分ＬＬが示されている。また、範囲算出部５４は、ｆ（Ｎ２）＝２×ｆ´（Ｎ２−１）＋ｆ（Ｎ）（Ｎ２はｘ＋２〜ｘ＋１１）の式を用いて下限微分値を積分することにより、各画素における下限値ｆ（ｘ）の値を算出する。図１５（ｄ）には、算出した下限値ｆ（ｘ）を繋いだ下限波形ＬＭが示されている。
【００７０】
このように、山形波形が途中で途切れている場合には、上限波形ＵＭと下限波形ＬＭの範囲に続いていると予測される。
補間判定部５５は、上限波形ＵＭと下限波形ＬＭの間であって、端Ｑｅ（第１端の一例）から移動方向Ａ１に１０ｐｉｘｅｌの範囲内の所定範囲Ｆに他のグループＧ１２の端Ｑｓが存在するか否かを判定する。所定範囲Ｆに他のグループの端が存在することが、所定の補間条件の一例である。図１７に示すように、他のグループＧ１２の端点Ｑｓ（第２端の一例）が存在する場合には、グループＧ１１とグループＧ１２の間を補間しグループＧ１１の端点ＱｅとグループＧ１２の端点Ｑｅを接続する。なお、補間判定部５５は、端Ｑｅから所定範囲Ｆ内に他のグループの端が存在しない場合には、端Ｑｅを他のグループと繋ぐ補間は行われない。
【００７１】
（埋設物検出部）
埋設物検出部５８は、補間部５３によって補間されたグループと補間されていないグループの双方に対して埋設物の検出を行う。
埋設物検出部５８は、山形波形頂点検出部５６（深さ位置ピーク検出部の一例）と、判定部５７と、を有する。山形波形頂点検出部５６は、検出したグループが所定の山形波形であるか否かについて判定し、所定の山形波形と判定した場合には、山形波形のピークの位置を頂点グループに入れる。
判定部５７は、頂点グループに基づいて、埋設物の位置を判定する。
【００７２】
（山形波形頂点検出部５６）
山形波形頂点検出部５６は、グループの形状が所定の山形波形であるか否かを判定する。山形波形頂点検出部５６は、第１条件、第２条件、および第３条件の３つの条件を満たす場合に、グループが所定の山形波形であると判定する。
【００７３】
第１条件は、微分したときに、微分値がプラスからゼロを経由してマイナスになることであり、第２条件は、第１条件のゼロ点から前後にＸｐｉｘｅｌ以上ピーク値が存在することであり、第３条件は、第１条件のゼロ点を基準に、Ｘｐｉｘｅｌ範囲内の微分値の面積が所定閾値以上であることである。
山形波形頂点検出部５６は、これら３つの条件を満たす場合に、グループの形状が所定の山形波形であると判定し、第１条件のゼロ点に対応する頂点を検出する。
【００７４】
図１８（ａ）は、グループ化された複数のピークの位置を示す図である。山形波形頂点検出部５６は、図１８（ａ）に示すデータを微分し、その微分データが、プラスからゼロを経由してマイナスになる場合に、第１条件を満たすと判定する。図１８（ｂ）は、図１８（ａ）を微分したデータを示す図である。図１８（ｂ）では、移動方向Ａ１に沿って微分値がプラスからゼロを経由してマイナスになっているため、第１条件を満たすと判定される。なお、ゼロの点Ｈは、図１８（ａ）に示す深さ位置のピークＱｐを示す。
【００７５】
次に、第２条件として、山形波形頂点検出部５６は、微分したデータのゼロの点Ｈ（深さ位置のピークＱｐ）から前後方向にＸｐｉｘｅｌ以上、信号強度のピークが存在するか否かを判定する。図１９（ａ）は、図１８（ａ）に第２条件を示した図である。図１９（ｂ）は図１８（ｂ）に第２条件を示した図である。図１９（ａ）および図１９（ｂ）に示すように、ゼロの点Ｈ（深さ位置のピークＱｐ）から前後方向にＸｐｉｘｅｌ以上信号強度のピーク値が存在するため、図１９（ａ）および図１９（ｂ）に示すデータは、第２条件を満たすと判定される。
【００７６】
次に、第３条件として、山形波形頂点検出部５６は、図１９（ｂ）に示す斜線部３００の面積を算出し、算出した面積が所定閾値以上であるか否かを判定する。図２０（ａ）は、斜線部３００の面積が所定閾値以上である例を示す図であり、図２０（ｂ）は、斜線部３００の面積が所定閾値未満である例を示す図である。算出した面積が所定閾値以上の場合には、山形波形頂点検出部５６は、頂点Ｑｐを山形波形の頂点グループに入れる。一方、算出した面積が所定閾値以上の場合には、山形波形頂点検出部５６は、頂点Ｑｐを山形波形の頂点グループに入れない。
【００７７】
（判定部５７）
判定部５７は、山形波形の頂点グループに入れられた頂点に基づいて埋設物１０１の位置を判定する。
判定部５７は、微分した時の面積が所定閾値以上の頂点において、浅い頂点を基準に頂点グルーピングを行う。判定部５７は、頂点グルーピングした頂点の位置関係に基づいて、埋設物か否かの判定を行う。判定部５７は、頂点グルーピングした範囲内に２つ以上の頂点が存在する場合に、浅いほうの頂点位置を埋設物の位置として登録する。
【００７８】
頂点グルーピングは、最も浅い頂点を基準に前後方向（矢印Ａ１、Ａ２方向）に±Ｊｐｉｘｅｌ、上下方向（矢印Ｂ、Ｃ方向）に下最大までの範囲の頂点をグループとする。図２１（ａ）〜（ｃ）は、頂点グルーピングの例を示す図である。図２１では、白の四角を白のピークの頂点を示し、黒の四角が黒のピークの頂点を示す。
図２１（ａ）では、頂点グルーピングの範囲内に浅い方から白のピーク、黒のピークが順番に示されている。図２１（ｂ）では、頂点グルーピングの範囲内に浅い方から黒のピーク、白のピーク、および黒のピークが順番に示されている。図２１（ｃ）では、頂点グルーピングの範囲内に黒のピークのみが示されている。
【００７９】
この場合、図２１（ａ）では、最も浅い白のピークの位置（Ｐ２０として示す）が埋設物の位置として登録される。また、図２１（ｂ）では、最も浅い黒のピークの位置（Ｐ２１として示す）が埋設物の位置として登録される。一方、図２１（ｃ）では、頂点グループ範囲内にピークが一つしか存在しないため、埋設物の位置としては登録しない。
【００８０】
（補間による山形波形の判定）
補間部５３による補間を行うことによって、山形波形と判定される例を説明する。
図２２（ａ）は、山形波形の途中が欠けているデータの例を示す図である。
図２２（ａ）の上段は、データを示す表である。中段は上段のデータのグラフ（横軸ｘ、縦軸ｆ（ｘ））を示す図であり、グループＧ１１とグループＧ１２に分かれている。下段は上段のデータのグラフ（横軸ｘ、縦軸ｆ´（ｘ））を示す図である。下段のデータのグラフは、中段のデータのグラフを微分したものである。図２２（ａ）の下段のグラフでは、グループＧ１１の微分がＧ１１´として示され、グループＧ１２の微分がＧ１２´として示されている。
【００８１】
このように、２つに分かれているため、微分値のグラフがゼロを通らず、第１条件に該当せず山形波形と認識されない。
しかしながら、図２２（ｂ）の上段の表に示すように、補間を行うことによって、図２２（ｂ）の中段のグラフに示すように、グループＧ１１とグループＧ１２が１つのグループとされ、その上で山形波形頂点検出部５６による検出が行われる。これにより、図２２（ｂ）の下段のグラフに示すように、微分値（Ｇ１３´）がプラスからゼロを通ってマイナスとなるため、第１条件を満足することになり、他の第２条件と第３条件を満たすことによって山形波形頂点検出部５６は、グループＧ１１とグループＧ１２を１つのグループＧ１３として山形波形を検出することができる。
【００８２】
なお、埋設物の深さが深いほど山形波形は鈍角（平らになる）になり、浅いほど鋭角（急峻になる）になる傾向があるが、補間部５３による範囲上下限値は、過去８点の微分値を元に作成しているため、埋設物の深さが深いほど上下限値の範囲は狭くなり、浅いほど上下限値の範囲は広がる。そのため、埋設物の深さに応じて、すなわち山形波形の形状に応じて、波形が続いていると仮定した場合の波形の伸びていく予測範囲である所定範囲Ｆを変更することができる。
【００８３】
（判定結果登録部２５）
判定結果登録部２５は、埋設物判定部２４で判定した結果（グループ、ピーク位置、決定された埋設物の位置など）をＲＦデータ管理部２２に登録する。
（表示制御部２６）
表示制御部２６は、データ画像にグループ、ピーク位置などを示して、表示部８に表示させる。例えば、図１０の画像データのように、ＲＦデータを白黒階調した画像データおよび決定された埋設物の位置（例えば、×印）が表示部８に表示される。
【００８４】
＜動作＞
次に、本発明にかかる実施の形態の埋設物検出装置１の動作について説明する。
（インパルス制御モジュール処理）
図２３は、インパルス制御処理を示すフロー図である。
インパルス制御モジュール処理が開始されると、ステップＳ１において、エンコーダ７から入力されると、ステップＳ２において、インパルス出力制御が開始され、パルス発生部１３からのパルスに基づいて送信アンテナ１１から一定周期（例えば、１ＭＨｚ）で電磁波のパルスが出力される。
【００８５】
次に、ステップＳ３において、ディレイ部１４がＤｅｌａｙＩＣにＤｅｌａｙ時間を設定する。例えば、０〜５１２０ｐｓｅｃまで１０ｐｓｅｃ単位でＤｅｌａｙ時間を設定することができる。
次に、ステップＳ４において、制御部１０は、受信アンテナ１２からゲート部１５を介して受信したＲＦデータをＡＤ変換する。
【００８６】
次に、ステップＳ５において、Ｄｅｌａｙ時間が最大（例えば、５１２０ｐｓｅｃ）であるか否かが判断され、最大でない場合、制御がステップＳ３に戻る。このステップＳ３、Ｓ４、Ｓ５が繰り返されることにより、１ライン分のデータを取得することができる。ステップＳ５が、受信ステップの一例に対応する。
次に、ステップＳ６において、ＡＤ変換されたＲＦデータをメイン制御モジュール６に送信する。
【００８７】
そして、ステップＳ７において、インパルス制御が停止される。
次に、作業者によって埋設物検出装置１が移動方向Ａに移動されると、エンコーダ７からの入力があり、ステップＳ２〜Ｓ７の制御が行われ、次の１ライン分のデータが取得され、メイン制御モジュール６に送信される。
【００８８】
（メイン制御モジュール処理）
図２４は、メイン制御モジュール６の処理を示すフロー図である。
はじめに、ステップＳ１１において、受信部２１がインパルス制御モジュール５から１ライン分のＲＦデータを受信すると、ステップＳ１２において、埋設物の判定を行う前の前処理が、前処理部２３によって行われる。
次に、ステップＳ１３において、埋設物判定部２４によって埋設物の有無が判定され、埋設物の位置が特定される。
【００８９】
次に、ステップＳ１４において、埋設物判定部２４によって判定された結果が、判定結果登録部２５によって登録される。
次に、各ステップにおける処理について詳しく説明する。
【００９０】
（前処理）
図２５は、図２４のステップＳ１２における前処理を示すフロー図である。
はじめに、ステップＳ２２において、移動平均処理部３３が、受信したＲＦデータに対して移動平均処理を行う。
次に、ステップＳ２３において、差分処理部３２が、予め記憶されている基準値の信号強度と移動平均処理を行ったＲＦデータとの差分を算出し、ＲＦデータの変化が抽出される。
【００９１】
次に、ステップＳ２４において、一次微分処理部３４が、移動平均処理された差分結果に対して一次微分処理を行い、深さ方向において隣り合うデータ間の差分が正（増加）か負（減少）かの判定を行う。
次に、ステップＳ２５において、チャタリング除去部３５が、一次微分処理後のデータに対して、チャタリング除去処理を行う。
【００９２】
最後に、ステップＳ２６において、ピーク検出部３６が、チャタリング除去処理が行われた判定結果を用いて信号強度のピークを検出する。ステップＳ２６が、信号強度ピーク検出ステップの一例に対応する。
【００９３】
（移動平均処理）
次に、図２５のステップＳ２２の移動平均処理について説明する。図２６は、移動平均処理を示すフロー図である。
移動平均処理が開示されると、ステップＳ３１において、移動平均処理部３３が、受信したＲＦデータのうち、シーケンスナンバー１の受信データを選択する。
そして、移動平均処理部３３がシーケンスナンバー１のデータについてステップＳ３２の処理を行った後、制御はステップＳ３３に進む。
ステップＳ３３では、シーケンスナンバーが最大値であるか否かが判定され、シーケンスナンバーが最大値でない場合には、制御はステップＳ３１に戻り、シーケンスナンバーが１つ繰り上げられ、シーケンスナンバー２の受信データが選択される。そして、シーケンスナンバー２のデータについてステップＳ３２の処理が行われる。
【００９４】
このように、１ライン分のデータの全てに対してステップＳ３２の処理が行われるまでフローが繰り返される。
ステップＳ３２では、移動平均処理部３３が、１ライン分のＲＦデータに対して移動平均処理を行う。例えば、８点平均を用いて移動平均処理を行うことができる。
【００９５】
（差分処理）
次に、図２５のステップＳ２３の差分処理について説明する。図２７は、差分処理を示すフロー図である。
差分処理が開示されると、ステップＳ４１において、差分処理部３２が、移動平均処理を行ったＲＦデータのうち、シーケンスナンバー１の受信データを選択する。
そして、差分処理部３２がシーケンスナンバー１のデータについてステップＳ４２の処理を行った後、制御はステップＳ４３に進む。
ステップＳ４３では、シーケンスナンバーが最大値であるか否かが判定され、シーケンスナンバーが最大値でない場合には、制御はステップＳ４１に戻り、シーケンスナンバーが１つ繰り上げられ、シーケンスナンバー２の受信データが選択される。そして、シーケンスナンバー２のデータについてステップＳ４２の処理が行われる。
【００９６】
このように、１ライン分のデータの全てに対してステップＳ４２の処理が行われるまでフローが繰り返される。
ステップＳ４２では、差分処理部３２が、ＲＦデータ管理部２２に記憶されている基準値の信号強度と、それぞれのラインの受信データとの差分を算出する。
この差分処理によって、図６（ｂ）に示す画像データのように、ＲＦデータの変化を抽出することができる。
【００９７】
（差分結果の一次微分処理）
次に、図２５のステップＳ２４の差分結果の一次微分処理について説明する。図２８は、差分結果の一次微分処理を示すフロー図である。
差分結果の一次微分処理が開始されると、ステップＳ５１において、一次微分処理部３４が、差分処理によって得られた差分結果のうち、シーケンスナンバー１の差分結果を選択する。
【００９８】
次に、ステップＳ５２において、一次微分処理部３４は、差分結果の一次微分処理を行う。ここで、一次微分処理とは、深さ方向において、所定の位置の差分結果のデータと次の位置の差分結果のデータとの差を算出することである。すなわち、シーケンスナンバー１と、次のシーケンスナンバー２の差分が算出される。
次に、ステップＳ５３において、シーケンスナンバーが最大値であるか否かが判定され、シーケンスナンバーが最大値でない場合には、制御はステップＳ５１に戻り、１つ番号が繰り上げられ、シーケンスナンバー２の受信データが選択される。そして、シーケンスナンバー２とシーケンスナンバー３の差分が算出される。
【００９９】
このように、１ライン分のデータの全てに対して一次微分処理が行われるまで、順次番号が繰り上げられ、ステップＳ５２が繰り返される。
すなわち、シーケンスナンバーｎの一次微分処理を行う場合には、シーケンスナンバーｎ＋１の差分結果のデータから、シーケンスナンバーｎの差分結果のデータを引くことによって、シーケンスナンバーｎのデータに対して一次微分処理を行うことができる。
これによって、図９の表１５０の左から３番目の欄の差分が算出される。
【０１００】
（チャタリング除去処理）
次に、図２５のステップＳ２５のチャタリング除去処理について説明する。図２９は、チャタリング除去処理を示すフロー図である。
チャタリング除去処理が開始されると、ステップＳ６１において、チャタリング除去部３５が、一次微分処理が行われたシーケンスナンバー１を選択する。
【０１０１】
そして、チャタリング除去部３５が、シーケンスナンバー１のデータについて、ステップＳ６２〜Ｓ６６のいずれかの制御を行った後、制御はステップＳ６７に進む。
ステップＳ６７では、シーケンスナンバーが最大値であるか否かが判定され、シーケンスナンバーが最大値でない場合には、制御はステップＳ６１に戻り、１つ番号が繰り上げられ、シーケンスナンバー２の受信データが選択される。
【０１０２】
このように、１ライン分のデータの全てに対してチャタリング除去部３５による処理が行われるまで、順次番号が繰り上げられ、ステップＳ６２〜Ｓ６６のいずれかの処理が繰り返される。
ここで、ｎ番目のデータについてチャタリング除去処理を行うとして、ステップＳ６２〜Ｓ６６について説明する。
【０１０３】
ステップＳ６２において、チャタリング除去部３５は、連続する３つの１次微分結果が全て０よりも大きいか否かを判定する。シーケンスナンバーｎが選択されているため、シーケンスナンバーｎ、ｎ＋１、ｎ＋２の一次微分結果が全て０以上の場合、チャタリング除去部３５は、ステップＳ６３において、シーケンスナンバーｎについて、チャタリング除去処理後の一次微分結果を正（＋）と記憶する。
【０１０４】
一方、ステップＳ６２において、チャタリング除去部３５は、連続する３つのシーケンスナンバーの１次微分結果の１つでも０以下の場合、ステップＳ６４において、連続する３つの１次微分結果が全て０よりも小さいか否かを判定する。シーケンスナンバーｎが選択されているため、シーケンスナンバーｎ、ｎ＋１、ｎ＋２の一次微分結果が全て０よりも小さい場合、チャタリング除去部３５は、ステップＳ６５において、シーケンスナンバーｎについて、チャタリング除去処理後の一次微分結果を負（−）と記憶する。
【０１０５】
また、ステップＳ６４において、連続する３つの１次微分結果の１つでも０より大きい場合、制御はステップＳ６６へと進む。
そして、ステップＳ６６において、チャタリング除去部３５は、前回のシーケンスナンバーの状態を、今回のシーケンスナンバーの状態として記憶する。シーケンスナンバーｎが選択されているため、チャタリング除去部３５は、シーケンスナンバーｎ−１について記憶したチャタリング除去処理後の正（＋）または負（−）の結果を、シーケンスナンバーｎのチャタリング除去処理後の結果として記憶する。
これによって、図９の表１５０の最も右側のチャタリング処理後の変化を得ることができる。
【０１０６】
（ピーク検出処理）
次に、図２５のステップＳ２６のピーク検出処理について説明する。図３０は、ピーク検出処理を示すフロー図である。
【０１０７】
ピーク検出処理が開始されると、ステップＳ７１において、ピーク検出部３６が、チャタリング除去処理が行われたシーケンスナンバー１を選択する。
そして、ピーク検出部３６は、シーケンスナンバー１のデータについて、ステップＳ７２、Ｓ７３、Ｓ７４の制御を行った後、制御はステップＳ７５に進む。
ステップＳ７５では、シーケンスナンバーが最大値であるか否かが判定され、シーケンスナンバーが最大値でない場合には、制御はステップＳ７１に戻り、シーケンスナンバーが１つ繰り上げられ、シーケンスナンバー２の受信データが選択される。そして、シーケンスナンバー２のデータについてステップＳ７２、Ｓ７３、Ｓ７４の処理が行われる。
【０１０８】
このように、１ライン分のデータの全てに対してチャタリング除去部３５による処理が行われるまで、順次番号が繰り上げられ、ステップＳ７２、Ｓ７３、Ｓ７４の処理が繰り返される。
ここで、ｎ番目のデータについてピーク検出処理を行うとして、ステップＳ７２〜Ｓ７４について説明する。
【０１０９】
ステップＳ７２において、ピーク検出部３６は、チャタリング除去後の前回のシーケンスナンバーｎ−１の状態が負（−）で、今回のシーケンスナンバーｎの状態が正（＋）であるか否か、若しくは、チャタリング除去後の前回のシーケンスナンバーｎ−１の状態が正（＋）で、今回のシーケンスナンバーｎの状態が負（−）であるか否か、を判定する。
そして、前回のシーケンスナンバーｎ−１の状態が負（−）で、今回のシーケンスナンバーｎの状態が正（＋）である場合、若しくは、チャタリング除去後の前回のシーケンスナンバーｎ−１の状態が正（＋）で、今回のシーケンスナンバーｎの状態が負（−）である場合、ピーク検出部３６は、ｎ番目の座標をピークとして抽出する。
【０１１０】
次に、ステップＳ７３において、ピーク検出部３６は、抽出したｎ番目の座標のピークの信号強度が、所定閾値（−Ｅ以上、＋Ｅ以下）の範囲外であるか否かを判定する。
そして、抽出したｎ番目の座標のピークの信号強度が所定の範囲外の場合、ステップＳ７４において、ｎ番目の座標がピーク座標としてＲＦデータ管理部２２に記憶される。座標は、例えば、ピクセルを単位とし、移動距離（ラインの番号ともいえる）と深さ位置で示すことができる。
これにより、上述したように、例えば、図９の表１５０のシーケンスナンバー５（白のピーク）、３７（黒のピーク）をピークとして検出することができる。
【０１１１】
（埋設物判定処理）
次に、図２４のステップＳ１３に示す埋設物判定処理について説明する。図３１は、埋設物判定処理を示すフロー図である。
【０１１２】
埋設物判定処理が開始されると、はじめに、ステップＳ８１において、グルーピング部５１が、前処理部２３で行われたピーク検出結果のグルーピング処理を行う。このステップＳ８１が、グルーピングステップの一例に対応する。
次に、ステップＳ８２において、チャタリング除去部５２が、グルーピングされたグループに対してチャタリング除去処理を行う。
【０１１３】
次に、ステップＳ８３において、補間部５３が、山形波形が途中で途切れている場合等に所定条件を満たす場合にグループ間を繋ぐことによって山形波形補間処理を行う。このステップＳ８３が、補間ステップの一例に対応する。
次に、ステップＳ８４において、山形波形頂点検出部５６が、山形波形補間処理後のグループが所定の山形波形を満たしている場合に、山形波形の頂点を検出する。
【０１１４】
次に、ステップＳ８５において、複数の山形波形の頂点に基づいて埋設物の判定処理を行う。ステップＳ８４，Ｓ８５が、埋設物検出ステップの一例に対応する。
次に、ステップＳ８６において、山形波形頂点検出部５６によって検出されたピークの位置に、表示制御部２６が印（例えば、×印、○印等）をつけて表示部８に表示させる。
【０１１５】
（ピーク検出結果のグルーピング処理）
図３１のステップＳ８１のピーク検出結果のグルーピング処理について説明する。図３２は、ピーク検出結果のグルーピング処理を示すフロー図である。
はじめに、ステップＳ９１において、グルーピング部５１は、検出状態を“未検出”の状態とする。
過去に取得した全てのデータを対象とし、ステップＳ９２では、グルーピング部５１は、過去の古いデータを処理の対象として選択する。そして、ステップＳ１０１において、グルーピング部５１は、今回取得したラインまでの過去に取得したデータの全てに対して処理を行ったか判定し、処理を行っていない場合、制御はステップＳ９２へと戻り、次に古いデータが処理の対象とされる。このように、例えば、最も古いラインのシーケンスナンバー１から順にステップＳ９３〜ステップＳ１００の処理が行われる。
【０１１６】
ステップＳ９３において、グルーピング部５１は状態が未検出であるか否かを判定する。はじめの状態は“未検出”であるため、制御はステップＳ９４に進む。
ステップＳ９４において、グルーピング部５１は、所定範囲内にピークが検出された位置があるか否かを判定する。所定範囲にピークが検出されない場合には、制御はステップＳ１０１へと進む。所定範囲は適宜設定することができ、例えば、１つのラインに設定してもよいし、１つのラインのシーケンスナンバーで設定してもよい。
【０１１７】
このように、ステップＳ９４において、古いデータから順番にピークが検出された位置があるか否かの判定が行われ、ピークが検出された位置がある場合に、ステップＳ９５において、グルーピング部５１は、検出状態を“検出中”とする。
次に、ステップＳ９６において、グルーピング部５１は、ピークを検出した点を記憶する。この点は、ピクセルを単位とする座標であり、例えば、移動距離（ラインの番号ともいえる）と深さ位置で示すことができる。なお、この点が、図１０の始点（●）に対応する。
【０１１８】
次に、ステップＳ１０１およびステップＳ９２を経て、次のデータが処理の対象とされる。
次に、ステップＳ９３において、検出状態が“検出中”となっているため、制御はステップＳ９７に進む。
ステップＳ９７において、グルーピング部５１は、ステップＳ９６で記憶した位置から所定範囲内にピークを検出した位置があるか否かを判定する。この所定範囲内は、例えば、図１１（ａ）〜図１１（ｄ）で説明した移動方向１ｐｉｘｅｌ以内であって、上下５ｐｉｘｅｌ以内に設定することができる。ピークを検出した位置が所定範囲内に存在する場合には、ステップＳ９８において、グルーピング部５１は、連続した位置があるとして、その位置を記憶する。
【０１１９】
次に、ステップＳ１０１およびステップＳ９２を経て、次のデータが処理の対象とされる。
次に、ステップＳ９３において、検出状態が“検出中”となっているため、制御はステップＳ９７に進む。
このステップＳ９７では、前回にステップＳ９８で記憶した点から所定範囲内に、ピークを検出した点が存在するか否かが検出され、存在する場合には、ステップＳ９８において、その点が記憶される。これにより連続している点が順次グループとされる。
【０１２０】
そして、ステップＳ９７において、所定範囲内にピークが検出されない場合には、制御はステップＳ９９に進む。
ステップＳ９９において、グルーピング部５１は、連続する点がないと判断し、それまでの検出結果を保存する。なお、最後に検出された点が、図１０の終点（■）に対応する。
【０１２１】
次に、ステップＳ１００において、グルーピング部５１は、検出状態を“未検出”の状態とする。
そして、ステップＳ１０１において、過去に取得したラインの全てのデータについて処理が行われたと判断されると、処理が終了する。
【０１２２】
（チャタリング除去処理）
次に、図３１のステップＳ８２に示すチャタリング除去処理について説明する。図３３は、埋設物判定処理を示すフロー図である。
チャタリング除去処理が開示されると、ステップＳ１１１において、チャタリング除去部５２が、グルーピングされた複数のグループのいずれか１つを選択する。
そして、ステップＳ１１２において、チャタリング除去部５２は、選択したグループに対して移動平均処理を行う。例えば、８点平均を用いて移動平均処理を行うことができる。
【０１２３】
次に、ステップＳ１１３では、全てのグループに対して移動平均処理が行われたか否かが判定され、全てのグループに対して処理が行われていない場合には、制御はステップＳ１１１に戻り、他のグループが選択される。そして、選択されたほかのグループに対して移動平均処理が行われる。
このように、グルーピングした全ての結果に対してステップＳ１１２の処理が行われるまでフローが繰り返される。
【０１２４】
（山形波形補間処理）
次に、図３１のステップＳ８３に示す山形波形補間処理について説明する。図３４は、山形波形補間処理を示すフロー図である。
山形波形補間処理が開始されると、ステップＳ１２１において、補間部５３が、グルーピングされた複数のグループから１つを選択する。
【０１２５】
そして、ステップＳ１２２において、補間部５３は、ＲＦデータ管理部２２に記憶されている選択したチャタリング除去処理後のグループの１つを読み出す。
次に、ステップＳ１２３において、範囲算出部５４は、選択したグループのデータについて微分を行い、過去８点の微分値の最大値にマージを持たせた値を上限微分値（図１５（ｃ）の上限微分値ＵＬ参照）とし、過去８点の微分値の最小値にマージを持たせた値を下限微分値（図１５（ｃ）の下限微分値ＬＬ参照）とする。そして、範囲算出部５４は、上限微分値および下限微分値に挟まれた、端点Ｑｅから移動方向Ａ１に１０ｐｉｘｅｌの範囲を所定範囲Ｆとする。
【０１２６】
次に、ステップＳ１２４において、補間判定部５５は、所定範囲Ｆ内に他のグループの端点が存在するか否かを確認する。所定範囲Ｆ内に他のグループの端点が存在する場合には、ステップＳ１２５において、補間判定部５５は、選択したグループと、所定範囲Ｆ内に端点が存在するグループをグルーピングする。
そして、ステップＳ１２６において、補間部５３は、全てのグループに対して山形波形補間処理が行われたか否かを確認し、全てのグループに対して処理が行われていない場合には、制御はステップＳ１２１に戻り、他のグループが選択される。そして、選択されたほかのグループに対して山形波形補間処理が行われる。
なお、ステップＳ１２４において、所定範囲Ｆ内に他のグループの端点が存在しない場合には、選択されたグループはそのままの状態となり、制御はステップＳ１２６に進む。
【０１２７】
（山形波形頂点検出処理）
次に、図３１のステップＳ８４に示す山形波形頂点検出処理について説明する。図３５は、山形波形頂点検出処理を示すフロー図である。
【０１２８】
山形波形頂点検出処理が開始されると、ステップＳ１３１において、山形波形頂点検出部５６が、山形波形補間処理後のグルーピングした結果から１つのグループを選択する。
そして、ステップＳ１３２において、山形波形頂点検出部５６は、選択したグループを移動方向Ａ１と深さ方向Ｂの平面において微分を行う。
次に、ステップＳ１３３において、山形波形頂点検出部５６は、微分値がプラスからゼロを通ってマイナスになるようなゼロ点があるか否かを判定する。このようなゼロ点がない場合には、グループは所定の山形波形ではないと判断され、制御はステップＳ１３８に進む。
【０１２９】
一方、ステップＳ１３３において、このようなゼロ点が存在すると判定された場合、制御はステップＳ１３４に進む。このゼロ点が、山形波形のピークに対応する。
そして、ステップＳ１３４において、山形波形頂点検出部５６は、山形波形の頂点から前後方向にＸｐｉｘｅｌ以上ピークが存在するか否かを判定する。Ｘｐｉｘｅｌ以上ピークが存在しない場合には、埋設物が存在すると判定できる山形波形ではないとして制御はステップＳ１３８に進む。
【０１３０】
一方、ステップＳ１３４において、Ｘｐｉｘｅｌ以上ピークが存在すると判定された場合には、制御はステップＳ１３５に進む。
そして、ステップＳ１３５において、山形波形頂点検出部５６は、頂点から前後方向にＸｐｉｘｅｌ以内の範囲の微分値の面積を算出する。
次に、ステップＳ１３６において、山形波形頂点検出部５６は、算出した面積が所定閾値以上であるか否かを判定する。所定閾値以上でないと判定された場合には、埋設物が存在すると判定できる山形波形ではないとして制御はステップＳ１３８に進む。
【０１３１】
一方、ステップＳ１３６において所定閾値以上であると判定された場合には、ステップＳ１３７において山形波形頂点検出部５６は、ゼロ点に対応する頂点を山形波形の頂点グループに入れる。
次に、ステップＳ１３８において、山形波形頂点検出部５６は、山形波形補間処理された全てのグループに対して山形波形頂点検出処理が行われたか否かを確認し、全てのグループに対して処理が行われていない場合には、制御はステップＳ１３１に戻り、他のグループが選択される。そして、山形波形補間処理された全てのグループに対して山形波形頂点検出処理が行われるまで、ステップＳ１３２〜ステップＳ１３７が繰り返される。
【０１３２】
（埋設物判定処理）
次に、図３１のステップＳ８５に示す埋設物判定処理について説明する。図３６は、埋設物判定処理を示すフロー図である。
埋設物判定処理が開始されると、ステップＳ１４１において、判定部５７は、頂点グループに入れられた頂点を浅い方から順に１つ選択する。
【０１３３】
そして、ステップＳ１４２において、判定部５７は、頂点から前後方向に±Ｊｐｉｘｅｌ以内かつ下方向のすべての範囲に他の頂点が存在するか否かを判定する。
ステップＳ１４２において、他の頂点が存在すると判定された場合には、ステップＳ１４３において、判定部５７は、選択した頂点の頂点座標を埋設物としてＲＦデータ管理部２２に記憶する。一方、ステップＳ１４２において、他の頂点が存在しないと判定された場合には、判定した範囲内に頂点が１つしか存在しないため、埋設物の位置として記憶されず、制御がステップＳ１４４に進む。
【０１３４】
次に、ステップＳ１４４において、頂点グループに入れられたすべての頂点に対して、埋設物判定処理を行ったか否かが判定される。処理を行っていない場合には、ステップＳ１４１において、判定部５７は、頂点グループの他の頂点を選択する。ここで、ステップＳ１４２において他の頂点として検出された頂点は処理を行ったものとして選択対象から除外される。
【０１３５】
頂点グループに入れられた頂点の全てが選択されたか若しくは選択対象から除外されるまで、ステップＳ１４２、Ｓ１４３が繰り返される。そして、頂点グループに入れられた頂点の全てが選択されたか若しくは選択対象から除外されると、制御が終了する。
なお、判定結果登録処理によって登録された埋設物の位置について、図３１に示すように、ステップＳ８６において表示制御部２６は、表示部８を制御して埋設物表示（×、○などの印を表示）する。
【０１３６】
［他の実施形態］
以上、本発明の一実施形態について説明したが、本発明は上記実施形態に限定されるものではなく、発明の要旨を逸脱しない範囲で種々の変更が可能である。
（Ａ）
上記実施の形態では、埋設物検出装置１およびメイン制御モジュール６（データ処理装置の一例）の制御方法として、図２３〜図３６に示すフローチャートに従って、実施する例を挙げて説明したが、これに限定されるものではない。
【０１３７】
例えば、図２３〜図３６に示すフローチャートに従って実施される埋設物検出装置１および埋設物検出方法をコンピュータに実行させるプログラムとして、本発明を実現しても良い。
また、プログラムの一つの利用形態は、コンピュータにより読取可能な、ＲＯＭ等の記録媒体に記録され、コンピュータと協働して動作する態様であってもよい。
【０１３８】
またプログラムの一つの利用形態は、インターネット等の伝送媒体、光・電波・音波などの伝送媒体中を伝送し、コンピュータにより読みとられ、コンピュータと協働して動作する態様であってもよい。
また、上述したコンピュータは、ＣＰＵ（Central Processing Unit）等のハードウェアに限らずファームウェアや、ＯＳ、更に周辺機器を含むものであってもよい。
なお、以上説明したように、電力消費体の制御方法はソフトウェア的に実現してもよいし、ハードウェア的に実現しても良い。
【０１３９】
（Ｂ）
上記実施の形態では、埋設物の一例として鉄筋を例に挙げて説明したが、鉄筋にかぎらなくてもよく、ガス管、水道管、木材等であってもよく、また、埋設物が設けられた対象物としてもコンクリートに限られるものではない。
【０１４０】
（Ｃ）
上記実施の形態では、階調処理によって黒が鉄筋を示すように設定したが、これに限らず白が鉄筋を示すように設定してもよい。
（Ｄ）
上記実施の形態では、埋設物検出装置１の本体部２内にメイン制御モジュール６が設けられているが、メイン制御モジュール６が本体部２と別に設けられていてもよい。この場合、タブレットなどにメイン制御モジュール６と表示部８を設けてもよい。本体部２とタブレットの間は無線または有線によって通信が行われてもよい。
【産業上の利用可能性】
【０１４１】
本発明の埋設物検出装置および埋設物検出方法は、不完全な形状の反射波からも埋設物を検出することが可能な効果を有し、コンクリート内の埋設物の検出を行う上で有用である。
【符号の説明】
【０１４２】
１      埋設物検出装置
３６    ピーク検出部
５１    グルーピング部
５３    補間部
５８    埋設物検出部
６１    受信部
【図１】
2020165722.tif 000003
【図２】
2020165722.tif 000004
【図３】
2020165722.tif 000005
【図４】
2020165722.tif 000006
【図５】
2020165722.tif 000007
【図６】
2020165722.tif 000008
【図７】
2020165722.tif 000009
【図８】
2020165722.tif 000010
【図９】
2020165722.tif 000011
【図１０】
2020165722.tif 000012
【図１１】
2020165722.tif 000013
【図１２】
2020165722.tif 000014
【図１３】
2020165722.tif 000015
【図１４】
2020165722.tif 000016
【図１５】
2020165722.tif 000017
【図１６】
2020165722.tif 000018
【図１７】
2020165722.tif 000019
【図１８】
2020165722.tif 000020
【図１９】
2020165722.tif 000021
【図２０】
2020165722.tif 000022
【図２１】
2020165722.tif 000023
【図２２】
2020165722.tif 000024
【図２３】
2020165722.tif 000025
【図２４】
2020165722.tif 000026
【図２５】
2020165722.tif 000027
【図２６】
2020165722.tif 000028
【図２７】
2020165722.tif 000029
【図２８】
2020165722.tif 000030
【図２９】
2020165722.tif 000031
【図３０】
2020165722.tif 000032
【図３１】
2020165722.tif 000033
【図３２】
2020165722.tif 000034
【図３３】
2020165722.tif 000035
【図３４】
2020165722.tif 000036
【図３５】
2020165722.tif 000037
【図３６】
2020165722.tif 000038
【図３７】
2020165722.tif 000039